(57)【要約】【課題】カメラと離れた位置に設置しても、被写体との距離を考慮した最適な照明を行うことができるストロボ装置を提供すること。【解決手段】外付けストロボ装置１００の発光部１１１に測距回路１１６を設ける。Ｓ２μｃｏｍ１０２は、測距回路１１６の出力に基づいて算出される外付けストロボ装置１００から被写体までの距離と、カメラ２００からの無線通信によって送信される絞り値及び補正係数とから本発光時の発光ガイドナンバーを算出する。【選択図】図１
2009122523.tif 000002
【特許請求の範囲】
【請求項１】
カメラと離れた位置に設置され、上記カメラとの無線通信で入力されたパラメータに従って設定を行うストロボ装置において、
当該ストロボ装置から被写体までの距離を検出する測距手段と、
上記無線通信で入力されたパラメータと上記測距手段により検出された距離とから、発光量を演算する演算手段と、
上記演算された発光量で、上記カメラの露出に同期して発光を行う発光手段と、
を具備することを特徴とするストロボ装置。
【請求項２】
上記発光手段は、上記カメラに内蔵された若しくは上記カメラに接続されたストロボ装置の発光に同期することを特徴とする請求項１に記載のストロボ装置。
【請求項３】
上記無線通信で入力されるパラメータは、上記カメラの絞り値及び補正係数を含み、
上記演算手段は、上記距離と、上記絞り値と、上記補正係数とから上記発光量としての発光ガイドナンバーを演算することを特徴とする請求項１又は２に記載のストロボ装置。
【請求項４】
上記補正係数は、上記ストロボ装置の発光比率を含むことを特徴とする請求項３に記載のストロボ装置。
【請求項５】
発光部の向いている方向の被写体までの距離を検出する測距手段と、
カメラと通信し、少なくとも上記カメラの絞り値を受け取る通信手段と、
上記カメラに内蔵された若しくは上記カメラに接続されたストロボ装置の本発光に同期して発光する発光手段と、
上記測距手段により検出された距離と上記通信によって取得した絞り値とから、上記発光手段の発光量を演算する演算手段と、
を具備することを特徴とするストロボ装置。
【請求項６】
上記発光部と上記測距手段とは、上記ストロボ装置の本体に対して回動自在に構成されていることを特徴とする請求項５に記載のストロボ装置。
【請求項７】
カメラに内蔵された若しくは上記カメラに接続されたストロボ装置の本発光に同期して発光するスレーブモードと、上記カメラに接続されて上記カメラの露出のタイミングに同期して発光するメインモードとを有するストロボ装置において、
被写体までの距離を検出する測距手段と、
上記スレーブモードにおいて上記カメラと無線により通信する無線通信手段と、
上記メインモードにおいて上記カメラと有線により通信する有線通信手段と、
上記カメラと無線により通信した場合には上記測距手段により検出された距離と上記カメラの絞り値とから求めた発光量で発光し、上記カメラと有線により通信した場合には上記カメラから指示された発光量で発光する発光手段と、
を具備することを特徴とするストロボ装置。
【発明の詳細な説明】
【技術分野】
【０００１】
本発明は、カメラから離れて配置され、カメラに内蔵若しくはカメラに接続されたストロボ装置の本発光に同期して発光可能なストロボ装置に関する。
【背景技術】
【０００２】
従来、撮像装置の補助照明装置としてのストロボ装置を、該ストロボ装置に対して遠隔配置された別の装置からの無線通信によって発光制御するワイヤレスストロボシステムが知られている。このようなストロボシステムを用いた撮影では被写体の背後に生じる影を消したり、意図的に被写体に影をつけたりするライティングを自在に行うことができる。
【０００３】
上述のワイヤレスストロボシステムに関する提案として、例えば、特許文献１においては、カメラが有するストロボ装置における露光発光以外の発光（例えばプリ発光）を用いて、カメラからワイヤレスストロボ装置に発光タイミングや発光量の情報を伝達することで、カメラ側でワイヤレスストロボ装置の発光量や発光タイミングを制御可能としている。
【特許文献１】特開平５−９３９４４号公報
【発明の開示】
【発明が解決しようとする課題】
【０００４】
ここで、特許文献１の手法では、ワイヤレスストロボ装置の発光量の通信を行っているが、この発光量はカメラ側で算出されたものである。また、この発光量は、カメラから被写体までの距離から算出されたものである。即ち、被写体とワイヤレスストロボ装置との距離を考慮して発光量を決定しているわけではないため、カメラとワイヤレスストロボ装置との距離が離れている場合には、必ずしも最適な照明が行えるとは限らない。
【０００５】
本発明は、上記の事情に鑑みてなされたもので、カメラと離れた位置に設置しても、被写体との距離を考慮した最適な照明を行うことができるストロボ装置を提供することを目的とする。
【課題を解決するための手段】
【０００６】
上記の目的を達成するために、本発明の第１の態様のストロボ装置は、カメラと離れた位置に設置され、上記カメラとの無線通信で入力されたパラメータに従って設定を行うストロボ装置において、当該ストロボ装置から被写体までの距離を検出する測距手段と、上記無線通信で入力されたパラメータと上記測距手段により検出された距離とから、発光量を演算する演算手段と、上記演算された発光量で、上記カメラの露出に同期して発光を行う発光手段とを具備することを特徴とする。
【０００７】
上記の目的を達成するために、本発明の第２の態様のストロボ装置は、発光部の向いている方向の被写体までの距離を検出する測距手段と、カメラと通信し、少なくとも上記カメラの絞り値を受け取る通信手段と、上記カメラに内蔵された若しくは上記カメラに接続されたストロボ装置の本発光に同期して発光する発光手段と、上記測距手段により検出された距離と上記通信によって取得した絞り値とから、上記発光手段の発光量を演算する演算手段とを具備することを特徴とする。
【０００８】
上記の目的を達成するために、本発明の第３の態様のストロボ装置は、カメラに内蔵された若しくは上記カメラに接続されたストロボ装置の本発光に同期して発光するスレーブモードと、上記カメラに接続されて上記カメラの露出のタイミングに同期して発光するメインモードとを有するストロボ装置において、被写体までの距離を検出する測距手段と、上記スレーブモードにおいて上記カメラと無線により通信する無線通信手段と、上記メインモードにおいて上記カメラと有線により通信する有線通信手段と、上記カメラと無線により通信した場合には上記測距手段により検出された距離と上記カメラの絞り値とから求めた発光量で発光し、上記カメラと有線により通信した場合には上記カメラから指示された発光量で発光する発光手段とを具備することを特徴とする。
【発明の効果】
【０００９】
本発明によれば、カメラと離れた位置に設置しても、被写体との距離を考慮した最適な照明を行うことができるストロボ装置を提供することができる。
【発明を実施するための最良の形態】
【００１０】
以下、図面を参照して本発明の実施形態を説明する。  
図１は、本発明の一実施形態に係るストロボ装置の一例としての外付けストロボ装置の構成を示す図である。図１に示す外付けストロボ装置１００は、ストロボ本体１０１と、発光部１１１とを備えている。発光部１１１はストロボ本体１０１に対して回動自在に取り付けられている。ユーザは、発光部１１１を上下左右方向に回動させることで、発光部１１１の向き、即ちストロボ光の発光方向を変えることが可能である。
【００１１】
また、ストロボ本体１０１の下部には、通信コネクタ１０７が設けられている。ここで、外付けストロボ装置１００は、通信コネクタ１０７を介してカメラに接続して使用することも、カメラに対して遠隔配置して使用することも可能に構成されている。外付けストロボ装置１００をカメラに装着して使用する場合には通信コネクタ１０７を介して外付けストロボ装置１００をカメラに装着する。この場合、外付けストロボ装置１００は、通信コネクタ１０７を介してカメラに通信自在に接続され、カメラからの制御に従って発光する。一方、外付けストロボ装置１００をカメラから離して使用する場合には通信コネクタ１０７を三脚１０８に装着する。この場合には外付けストロボ装置１００はカメラからのコマンドに同期して発光を行うワイヤレスストロボ装置として動作する。
【００１２】
以後、外付けストロボ装置１００をワイヤレスストロボ装置として動作させる場合の動作モードをスレーブモードと称し、外付けストロボ装置１００をカメラに装着して使用する場合の動作モードをメインモードと称する。
【００１３】
ストロボ本体１０１は、ストロボ制御マイクロコンピュータ（Ｓ２μｃｏｍ）１０２と、操作部１０３と、無線信号受信部１０４と、充電電圧検知回路１０５と、表示部１０６とを有して構成されている。
【００１４】
Ｓ２μｃｏｍ１０２は、発光部１１１におけるストロボ発光制御や表示部１０６の表示制御等の外付けストロボ装置１００の全体的な動作を制御する。また、本実施形態において、Ｓ２μｃｏｍ１０２は、発光部１１１の内部に設けられた測距回路１１６からの信号に基づいて外付けストロボ装置１００と被写体との距離を測定し、発光部１１１におけるストロボ発光時の発光量を演算する演算手段としての機能も有している。
【００１５】
操作部１０３は、外付けストロボ装置１００の動作モードの設定や、外付けストロボ装置１００をスレーブモードで使用するかの設定、複数のスレーブモードに設定された外付けストロボ装置１００を用いる場合のグループの設定及び通信チャネルの設定等の各種の設定を行うための操作部や、外付けストロボ装置１００の電源のオン/オフを切り替えるためのパワースイッチ等の操作部である。ここで、複数の外付けストロボ装置をスレーブモードで用いる場合には、グループを設定しておくことで、同じグループに属する外付けストロボ装置は同一の発光制御がなされる。また、通信チャンネルを設定しておくことで、同じ通信チャンネルが設定されている外付けストロボ装置では同一の情報が受信される。
【００１６】
無線信号受信部１０４は、外付けストロボ装置１００をスレーブモードで使用する場合に、カメラから各種の情報を無線通信によって受信する。なお、カメラとの無線通信の方式は特に限定されるものではないが、後述の説明においてはカメラのストロボ装置を利用した少光量の発光によって通信を行う例について説明する。
【００１７】
充電電圧検知回路１０５は、発光部１１１の充電回路１１２における充電電圧を検知し、検知した充電電圧をＳ２μｃｏｍ１０２に通知する。Ｓ２μｃｏｍ１０２は充電電圧検知回路１０５で検知された充電電圧に基づいて発光回路１１３においてストロボ発光に必要なエネルギーが蓄積されたかを判別する。
【００１８】
表示部１０６は、外付けストロボ装置１００の動作モードや充電回路１１２の充電状態等の外付けストロボ装置１００に関する各種の情報を表示する。
【００１９】
発光部１１１は、充電回路１１２と、発光回路１１３と、発光管１１４と、反射傘１１５と、測距回路１１６とを有している。
【００２０】
充電回路１１２は、電源と、充電用のコンデンサ等を含み、ストロボ発光に必要なエネルギーを蓄積する。発光回路１１３は、Ｓ２μｃｏｍ１０２からの発光指示を受けて、充電回路１１２のコンデンサに蓄積されたエネルギーを利用して発光管１１４を発光させる。発光管１１４は、例えばキセノン（Ｘｅ）管であり、発光回路１１３からの信号に従ってストロボ光を発光する。反射傘１１５は、発光管１１４のストロボ光を前方に集光する。
【００２１】
測距回路１１６は、例えばアクティブ方式の測距回路から構成され、外付けストロボ装置１００から被写体までの距離を測距して、その測距結果をＳμｃｏｍ１０２に通知する。なお、アクティブ方式の測距回路は、投光レンズ及び赤外ＬＥＤ等からなる投光部と、受光レンズ及びフォトダイオードアレイ等からなる受光部とを有して構成されている。そして、投光部から投光された光の図示しない被写体からの反射光を受光部で受光したときの受光位置、投光部と受光部との間隔、及びレンズの焦点距離に基づいて、三角測距の原理により被写体までの距離を測定する。
【００２２】
ここで、測距回路１１６を発光部１１１に設けることにより、発光部１１１が向いている方向に存在している被写体との距離を精度良く測定することが可能である。
【００２３】
図２は、外付けストロボ装置１００とともに、本実施形態に係るワイヤレスストロボシステムを構成するカメラの構成を示すブロック図である。
【００２４】
図２に示すカメラ２００は、レンズ鏡筒２０１とカメラ本体２１０とを備えている。また、カメラ本体２１０には、通信コネクタ２４０が設けられており、該通信コネクタ２４０に外付けストロボ装置１００の通信コネクタ１０７を接続することにより、外付けストロボ装置１００をカメラ２００のストロボ装置として利用可能である。
【００２５】
レンズ鏡筒２０１は、カメラ本体２１０の前面に設けられた図示しないレンズマウントを介してカメラ本体２１０に対して着脱自在に構成されている。このレンズ鏡筒２０１は、撮影レンズ２０２と、絞り２０３と、レンズ駆動機構２０４と、絞り駆動機構２０５と、レンズ制御用マイクロコンピュータ（以下、Ｌμｃｏｍと略記する）２０６とを有している。
【００２６】
撮影レンズ２０２は、レンズ駆動機構２０４内に存在する図示しないＤＣモータによって光軸方向に駆動され、図示しない被写体からの光束を集光してカメラ本体２１０の内部に入射させる。絞り２０３は、絞り駆動機構２０５内に存在する図示しないステッピングモータによって駆動される。Ｌμｃｏｍ２０６は、レンズ駆動機構２０４や絞り駆動機構２０５等、レンズ鏡筒２０１内の各部を駆動制御する。このＬμｃｏｍ２０６は、通信コネクタ２０７を介して、後述するボディ制御用マイクロコンピュータ（以下、Ｂμｃｏｍと略記する）２３１と電気的に接続がなされ、Ｂμｃｏｍ２３１の指令に従って制御される。また、Ｌμｃｏｍ２０６には、レンズの種類、開放絞り値、焦点距離等の基本データが格納されている。これらの基本データは、カメラ本体２１０との通信によってＢμｃｏｍ２３１に伝達される。
【００２７】
一方、カメラ本体２１０は、反射ミラー２１１と、ミラー駆動機構２１２と、ファインダ光学系と、ＡＦ用可動ミラー２１５と、ＡＦセンサユニット２１６と、ＡＦセンサ駆動回路２１７と、シャッタ部２１８と、シャッタチャージ機構２１９と、シャッタ制御回路２２０と、撮像ユニットと、防塵フィルタ駆動回路２２４と、温度測定回路２２５と、撮像インターフェース回路２２６と、画像処理コントローラ２２７と、液晶モニタ２２８と、バッファメモリ（ＳＤＲＡＭ）２２９と、記録メディア２３０と、Ｂμｃｏｍ２３１と、駆動回路２３２と、補助光用ＬＥＤ２３３と、動作表示用ＬＣＤ２３４と、カメラ操作スイッチ（ＳＷ）２３５と、電源回路２３６と、電池２３７と、測光回路２３８と、不揮発性メモリ（ＥＥＰＲＯＭ）２３９と、内蔵ストロボユニットとを有している。
【００２８】
反射ミラー２１１は、中央部がハーフミラーで構成され、図１に示す撮影光路上に配置されているときに、レンズ鏡筒２０１内の撮影レンズ２０２、絞り２０３を介して入射される図示しない被写体からの光束の一部を透過させ、一部を反射させる。この反射ミラー２１１はミラー駆動機構２１２によって駆動される。反射ミラー２１１が撮影光路から退避したときに、図示しない被写体からの光束をシャッタ部２１８の方向に通過させる。
【００２９】
ファインダ光学系はポロプリズム２１３と、接眼レンズ２１４とを有している。ポロプリズム２１３は、反射ミラー２１１で反射された光束に基づく像を正立像にする。接眼レンズ２１４はポロプリズム２１３から出射された像を拡大する。
【００３０】
ＡＦ用可動ミラー２１５は、反射ミラー２１１のハーフミラー部の後方に配置されており、反射ミラー２１１とは独立して動作する。このＡＦ用可動ミラー２１５は、反射ミラー２１１のハーフミラー部分を透過した被写体光束をＡＦセンサユニット２１６の方向に導く。ＡＦセンサユニット２１６は、例えばＴＴＬ位相差方式のＡＦセンサである。ＡＦセンサ駆動回路２１７はＡＦセンサユニット２１６を駆動制御するための回路である。
【００３１】
シャッタ部２１８は、撮影レンズ２０２の光軸上で且つ反射ミラー２１１の後方に配置された例えばフォーカルプレーン方式のシャッタである。シャッタチャージ機構２１９は、シャッタ部２１８を構成する図示しない先幕と後幕を駆動するばねをチャージするものである。シャッタ制御回路２２０は、シャッタ部２１８の先幕と後幕の動きを制御するとともに、Ｂμｃｏｍ２３１との間でシャッタの開閉動作を制御する信号の授受を行う。
【００３２】
撮像ユニットは、撮像素子２２１と、防塵フィルタ２２２と、圧電素子２２３とを有しており、シャッタ部２１８を通過した被写体像を光電変換するための光電変換ユニットである。
【００３３】
撮像素子２２１は、例えばＣＣＤ方式の撮像素子であり、シャッタ部２１８を通過した被写体像を光電変換によって電気信号（画像信号）に変換する。つまり、反射ミラー２１１が撮影光路上より退避した場合、撮影レンズ２０２及び絞り２０３を通った光束は、撮像素子２２１の撮像面上に結像されて画像信号に変換される。
【００３４】
防塵フィルタ２２２は、例えばガラス等の透明部材で構成され、撮像素子２２１の撮像面への塵埃の付着を防止する。この防塵フィルタ２２２の周縁部には、防塵フィルタ２２２を所定の振動周波数で振動させるための圧電素子２２３が取り付けられている。圧電素子２２３は、２つの電極を有しており、防塵フィルタ駆動回路２２４によって駆動される。防塵フィルタ駆動回路２２４によって圧電素子２２３を振動させることによって、防塵フィルタ２２２が振動する。これによって、防塵フィルタ２２２の表面に付着した塵埃が払い落とされる。
【００３５】
ここで、撮像素子２２１と圧電素子２２３とは、防塵フィルタ２２２を一面とするケース内に一体的に収納されている。これにより、撮像素子２２１への塵埃の付着を確実に防止することができる。
【００３６】
温度測定回路２２５は、防塵フィルタ２２２の周辺温度を測定する。通常、温度はガラス製の物材の弾性補正係数に影響する。つまり、温度の変化は防塵フィルタ２２２の固有振動数を変化させる要因の１つとなるため、防塵フィルタ２２２を振動させる際には、常にその周辺温度が計測されるようにしている。なお、温度測定回路２２５の温度測定ポイントは防塵フィルタ２２２の振動面の極近傍に設定することが好ましい。このように、温度の変化を考慮しながら防塵フィルタ２２２の振動を制御することにより、常に最適な条件で防塵フィルタ２２２を振動させることが可能である。
【００３７】
撮像インターフェース回路２２６は、撮像素子２２１の駆動を行うとともに、撮像素子２２１で得られる画像信号を画像処理コントローラ２２７において画像処理可能なように処理する。画像処理コントローラ２２７は、撮像インターフェース回路２２６から出力された画像信号を表示や記録に適するように画像処理して画像データを得る。液晶モニタ２２８は、画像処理コントローラ２２７で処理された画像データに基づいて画像表示を行う。バッファメモリ（ＳＤＲＡＭ）２２９は、また、バッファメモリ２２９は、画像データ等の各種データの一時保管用メモリである。バッファメモリ２２９は、画像データに各種画像処理が施される際のワークエリア等に利用される。記録メディア２３０は、図示しないカメラのインターフェースを介してカメラ本体２１０に対し脱着可能な各種のメモリカードや外付けのハードディスクドライブ（ＨＤＤ）等の外部記録媒体である。
【００３８】
Ｂμｃｏｍ２３１は、ミラー駆動機構２１２、ＡＦセンサ駆動回路２１７、シャッタチャージ機構２１９、シャッタ制御回路２２０、防塵フィルタ駆動回路２２４等のカメラ本体２１０内の各部を制御する。また、Ｂμｃｏｍ２３１には、駆動回路２３２と、動作表示用ＬＣＤ２３４と、カメラ操作スイッチ（ＳＷ）２３５と、電源回路２３６とが接続されている。
【００３９】
駆動回路２３２は、補助光用ＬＥＤ２３３を駆動する。補助光用ＬＥＤ２３３は、図示しない被写体に対してＡＦ補助用等の補助光を投光する。動作表示用ＬＣＤ２３４は、カメラ２００の動作状態を表示出力によってユーザへ告知するためのＬＣＤである。カメラ操作ＳＷ２３５は、例えば撮影動作の実行を指示するためのレリーズスイッチ（レリーズボタンの半押しによって動作する１Ｒスイッチとレリーズボタンの全押しによって動作する２Ｒスイッチの２段式のスイッチとして構成されている）、撮影モードと画像表示モードを切り換えるためのモード変更スイッチ、カメラ２００の電源のオン/オフを切り替えるためのパワースイッチ等、カメラ２００を操作するために必要な操作スイッチ群である。電源回路２３６は、電源としての電池２３７の電圧を、カメラ２００の各部が必要とする電圧に変換して供給する。
【００４０】
測光回路２３８は、ポロプリズム２１３の近傍に配置される図示しない測光センサの電気信号に基づいて測光処理を行う。不揮発性メモリ２３９は、カメラ制御に必要な所定の制御パラメータを記憶する。
【００４１】
さらに、Ｂμｃｏｍ２３１には、内蔵ストロボユニットが接続されている。内蔵ストロボユニットは、充電回路２４１と、発光回路２４２と、発光管２４３と、反射傘２４４と、充電電圧検知回路２４５とを有している。
【００４２】
充電回路２４１は、内部に充電用のコンデンサを有しており、電源回路２３６で生成される電源電圧を利用してストロボ発光用のエネルギーを充電する。発光回路２４２は、充電回路２４１内部のコンデンサの充電電圧を用いて、発光管２４３を発光させる。発光管２４３は、例えばキセノン（Ｘｅ）管であり、発光回路２４２からの信号に従ってストロボ光を発光する。反射傘２４４は、発光管２４３のストロボ光を前方に集光する。充電電圧検知回路２４５は、充電回路２４１の充電電圧を検知し、コンデンサが充分に充電されていると判断した場合に充電回路２４１による充電動作を停止させ、コンデンサの充電が不十分であると判断した場合に充電回路２４１の充電動作を継続させる。
【００４３】
以下、上述した外付けストロボ装置及びカメラの動作について説明する。  
まず、カメラ側の動作について説明する。図３は、Ｂμｃｏｍ２３１によって制御されるカメラのメイン処理について示したフローチャートである。カメラ本体２１０に電池２３７が装填されることで図３の処理が開始される。まず、Ｂμｃｏｍ２３１は、初期設定を行う（ステップＳ１）。初期設定は、例えばＢμｃｏｍ２３１内部の図示しないレジスタ等のリセット処理、Ｉ/Ｏポートの設定等である。
【００４４】
初期設定の後、Ｂμｃｏｍ２３１は、ユーザ操作によりカメラ操作ＳＷ２３５のパワースイッチがオンされたかを判定する（ステップＳ２）。その後、ステップＳ２の判定において、パワースイッチがオンされるまで待機する。一方、ステップＳ２の判定において、パワースイッチがオンされた場合に、Ｂμｃｏｍ２３１は、カメラ操作ＳＷ２３５の操作状態を検出する（ステップＳ３）。カメラ操作ＳＷ２３５の操作がなされない間は待機する。カメラ操作ＳＷ２３５の操作がなされた場合に、Ｂμｃｏｍ２３１は、操作されたスイッチに従って、各種のモード変更処理を行う（ステップＳ４）。このモード変更処理において、ユーザは、カメラ２００自体の各種モード設定の他に、外付けストロボ装置１００をスレーブモードで用いて撮影を行うか否かの設定や、複数の外付けストロボ装置をスレーブモードで用いる場合の各外付けストロボ装置のチャンネルやグループの設定、発光量（発光ガイドナンバー）の演算に必要な各種のパラメータの設定等も行うことができる。モード変更処理がなされると、その結果は動作表示用ＬＣＤ２３４に表示される。
【００４５】
モード変更処理の後、Ｂμｃｏｍ２３１は、ユーザ操作により、カメラ操作ＳＷ２３５のレリーズスイッチに含まれる１Ｒスイッチがオンされたかを判定する（ステップＳ５）。ステップＳ５の判定において、１Ｒスイッチがオンされていない場合には、処理がステップＳ２に戻る。一方、ステップＳ５の判定において、１Ｒスイッチがオンされた場合に、Ｂμｃｏｍ２３１は、ＡＦセンサ駆動回路２１７を動作させて測距を実行し、この測距結果に基づいて合焦に必要な撮影レンズ２０２の駆動量を演算する（ステップＳ６）。その後、Ｂμｃｏｍ２３１は、Ｌμｃｏｍ２０６と通信を行って現在の撮影レンズ２０２のレンズ位置を取得する。そして、Ｂμｃｏｍ２３１は、取得したレンズ位置が合焦範囲内であるかを判定する（ステップＳ７）。ステップＳ７の判定において、レンズ位置が合焦範囲内にない場合に、Ｂμｃｏｍ２３１は、Ｌμｃｏｍ２０６と通信を行って、撮影レンズ２０２を合焦駆動させる（ステップＳ８）。以後、撮影レンズ２０２のレンズ位置が合焦範囲内となるまでステップＳ５〜Ｓ８の処理が繰り替えされる。
【００４６】
また、ステップＳ７の判定において、レンズ位置が合焦範囲内である場合に、Ｂμｃｏｍ２３１は、ユーザ操作により、カメラ操作ＳＷ２３５のレリーズスイッチに含まれる２Ｒスイッチがオンされたかを判定する（ステップＳ９）。ステップＳ９の判定において、２Ｒスイッチがオンされていない場合に、Ｂμｃｏｍ２３１は、１Ｒスイッチがオンのままであるかを判定する（ステップＳ１０）。ステップＳ１０の判定において、１Ｒスイッチがオンのままである場合には、処理がステップＳ９に戻る。一方、ステップＳ１０の判定において、１Ｒスイッチがオフされた場合には、処理がステップＳ２に戻る。
【００４７】
また、ステップＳ９の判定において、２Ｒスイッチがオンされた場合に、Ｂμｃｏｍ２３１は、測光回路２３８の測光処理の結果に従って露出量（撮影画像の露出を適正にするために必要な絞り値及びシャッタ速度）を演算する（ステップＳ１１）。
【００４８】
その後、Ｂμｃｏｍ２３１は、測光回路２３８の測光処理の結果等から、撮像（露出）時に、ストロボ光の発光が必要であるかを判定する（ステップＳ１２）。ステップＳ１２の判定において、ストロボ光の発光が必要でないと判定した場合に、Ｂμｃｏｍ２３１は、ミラーアップ動作及び絞込み動作を行う（ステップＳ１３）。即ち、Ｂμｃｏｍ２３１は、ミラー駆動機構２１２を制御して反射ミラー２１１を撮影光路上から退避させる。さらに、Ｂμｃｏｍ２３１は、Ｌμｃｏｍ２０６に対して絞り２０３の絞込みを指示する。これを受けてＬμｃｏｍ２０６は、絞り駆動機構２０５を制御して、絞り２０３をステップＳ１１で演算された絞り値に従って絞込む。ミラーアップ動作及び絞込み動作の終了後、Ｂμｃｏｍ２３１は、露出（撮像）動作を実行する（ステップＳ１４）。即ち、Ｂμｃｏｍ２３１は、シャッタ制御回路２２０を制御してシャッタ部２１８の先幕及び後幕をステップＳ１１で演算されたシャッタ速度に従って動作させる。これにより撮像素子２２１を介して得られる画像の露出が適正なものとなる。
【００４９】
また、ステップＳ１２の判定において、ストロボ光の発光が必要である場合に、Ｂμｃｏｍ２３１は、ストロボ光の発光に、内蔵ストロボユニットを使用するかを判定する（ステップＳ１５）。カメラ２００からのストロボ光の発光は基本的には内蔵ストロボユニットを用いる。ただし、カメラ本体２１０に外付けストロボ装置１００が装着された場合（通信コネクタ２４０を介しての信号の授受によって判定する）には外付けストロボ装置１００を使用する。また、内蔵ストロボユニットと外付けストロボ装置１００の何れを用いるかをユーザが選択できるようにしても良い。この設定はステップＳ４のモード変更処理において行う。さらには、内蔵ストロボユニットと外付けストロボ装置１００の両方を使用可能としても良い。ただし、この場合には、後述するワイヤレスストロボ装置としての外付けストロボ装置１００との通信の際に用いるストロボ光の光源を内蔵ストロボユニットとカメラ本体２１０に装着された外付けストロボ装置１００の何れにするかを設定しておく必要がある。
【００５０】
ステップＳ１５の判定において、内蔵ストロボユニットを使用する場合に、Ｂμｃｏｍ２３１は、ステップＳ４のモード変更処理において、ワイヤレスストロボ装置を使用するように設定されたかを判定する（ステップＳ１６）。
【００５１】
ステップＳ１６の判定において、ワイヤレスストロボ装置を使用する場合に、Ｂμｃｏｍ２３１は、内蔵ストロボユニットを発光させてワイヤレスストロボ装置としての外付けストロボ装置１００と無線通信を行う（ステップＳ１７）。この無線通信の詳細については後述する。
【００５２】
外付けストロボ装置１００との無線通信がなされ、ワイヤレスストロボ装置側の外付けストロボ装置１００における各種設定の終了した後、Ｂμｃｏｍ２３１は、ミラーアップ動作及び絞込み動作を行う（ステップＳ１８）。ミラーアップ動作及び絞込み動作の後に、Ｂμｃｏｍ２３１は、ＡＦセンサユニット２１６の出力によって算出される被写体距離と絞り値とから、内蔵ストロボユニットの発光量（発光ガイドナンバーＧｎｏ）を演算する。なお、発光ガイドナンバーＧｎｏは、絞り値をＦｎｏ、被写体距離をＬとした場合にＧｎｏ＝Ｆｎｏ/Ｌから求めることができる。発光量の演算後、Ｂμｃｏｍ２３１は、内蔵ストロボユニットに対して本発光の指示をし、その後に露出（撮像）動作を実行する（ステップＳ１９）。
【００５３】
また、ステップＳ１６の判定において、ワイヤレスストロボ装置を使用しない場合に、Ｂμｃｏｍ２３１は、ステップＳ１７の処理をスキップして内蔵ストロボユニットに対して発光ガイドナンバーＧｎｏを送信するとともに本発光の指示をし、その後に露出（撮像）動作を実行する。
【００５４】
また、ステップＳ１５の判定において、内蔵ストロボユニットを使用しない場合に、Ｂμｃｏｍ２３１は、ステップＳ４のモード変更処理においてワイヤレスストロボ装置を使用するように設定されているかを判定する（ステップＳ２０）。
【００５５】
ステップＳ２０の判定において、ワイヤレスストロボ装置を使用する場合に、Ｂμｃｏｍ２３１は、カメラ本体２１０に装着されている外付けストロボ装置１００を発光させて、ワイヤレスストロボ装置側の外付けストロボ装置１００と無線通信を行う（ステップＳ２１）。ワイヤレスストロボ装置側の外付けストロボ装置１００における各種設定の終了後、Ｂμｃｏｍ２３１は、ミラーアップ動作及び絞込み動作を行う（ステップＳ２２）。ミラーアップ動作及び絞込み動作の後に、Ｂμｃｏｍ２３１は、カメラ本体２１０に装着されている外付けストロボ装置１００の発光量（発光ガイドナンバーＧｎｏ）を演算する。そして、Ｂμｃｏｍ２３１は、カメラ本体２１０に装着されている外付けストロボ装置１００に対して発光ガイドナンバーＧｎｏを送信するとともに本発光の開始を指示し、その後に露出（撮像）動作を実行する（ステップＳ２３）。
【００５６】
また、ステップＳ２０の判定において、ワイヤレスストロボ装置を使用しない場合に、Ｂμｃｏｍ２３１は、カメラ本体２１０に装着されている外付けストロボ装置１００に発光量としての発光ガイドナンバーＧｎｏを送信する（ステップＳ２４）。次に、Ｂμｃｏｍ２３１は、カメラ本体２１０に装着された外付けストロボ装置１００に対して本発光の開始を指示し、その後に露出（撮像）動作を実行する。
【００５７】
ステップＳ１４、Ｓ１９、又はＳ２３の何れかの処理によって露出（撮像）動作が終了した後、Ｂμｃｏｍ２３１は、ミラーダウン動作、絞り開放動作、及びシャッタチャージ動作を行う（ステップＳ２５）。即ち、Ｂμｃｏｍ２３１は、ミラー駆動機構２１２を制御して反射ミラー２１１を撮影光路上の位置に戻す。また、Ｂμｃｏｍ２３１は、Ｌμｃｏｍ２０６に対して絞り２０３の開放を指示する。これを受けてＬμｃｏｍ２０６は、絞り駆動機構２０５を制御して絞り２０３を開放する。さらに、Ｂμｃｏｍ２３１は、シャッタチャージ機構２１９を制御してシャッタ部２１８の先幕と後幕を駆動するばねをチャージする。
【００５８】
その後、Ｂμｃｏｍ２３１は、画像処理コントローラ２２７に対して画像信号の読み出しを指示する（ステップＳ２６）。その後、Ｂμｃｏｍ２３１は、画像処理コントローラ２２７に対して画像処理を指示する（ステップＳ２７）。画像処理の終了後、Ｂμｃｏｍ２３１は、画像処理コントローラ２２７に対して、処理した画像データの記録メディア２３０への記録を指示する（ステップＳ２８）。その後に、処理がステップＳ１に戻る。
【００５９】
次に、外付けストロボ装置側の動作について説明する。図４は、Ｓ２μｃｏｍ１０２によって制御される外付けストロボ装置のメイン処理について示したフローチャートである。外付けストロボ装置１００のストロボ本体１０１に図示しない電池が装填されることで図４の処理が開始される。まず、Ｓ２μｃｏｍ１０２は、初期設定を行う（ステップＳ１０１）。初期設定は、例えばＳ２μｃｏｍ１０２内部の図示しないレジスタ等のリセット処理、Ｉ/Ｏポートの設定等である。
【００６０】
初期設定の後、Ｓ２μｃｏｍ１０２は、ユーザ操作により操作部１０３のパワースイッチがオンされたかを判定する（ステップＳ１０２）。その後、ステップＳ１０２の判定において、パワースイッチがオンされるまで待機する。一方、ステップＳ１０２の判定において、パワースイッチがオンされた場合に、Ｓ２μｃｏｍ１０２は、カメラ２００との通信方式の確認を行う（ステップＳ１０３）。この処理は、通信コネクタ１０７を介してカメラ本体２１０のＢμｃｏｍ２３１と通信を行う処理である。
【００６１】
Ｂμｃｏｍ２３１との通信を行った結果から、Ｓ２μｃｏｍ１０２は、現在の外付けストロボ装置１００の通信方式が無線通信であるかを判定する（ステップＳ１０４）。ステップＳ１０４の判定においては、ステップＳ１０３における通信の結果、Ｂμｃｏｍ２３１からの応答がなかった場合には、外付けストロボ装置１００がカメラ本体２１０に装着されていない、即ち無線通信であると判定する。一方、Ｂμｃｏｍ２３１からの応答があった場合には、外付けストロボ装置１００がカメラ本体２１０に装着されている、即ち有線通信であると判定する。
【００６２】
ステップＳ１０４の判定において、通信方式が無線通信である場合には外付けストロボ装置１００がスレーブモードで動作する。この場合に、Ｓ２μｃｏｍ１０２は、操作部１０３の操作状態を検出する（ステップＳ１０５）。操作部１０３の操作がなされた場合に、Ｓμｃｏｍ１０２は、操作部１０３の操作状態に従って、各種のモード変更処理を行う（ステップＳ１０６）。このモード変更処理において、ユーザは、外付けストロボ装置１００をワイヤレスストロボ装置として用いる場合のチャンネルやグループの設定を行うことができる。モード変更処理がなされると、その結果は表示部１０６に表示される。
【００６３】
次に、Ｓ２μｃｏｍ１０２は、充電電圧検知回路１０５で検知される充電電圧から、充電回路１１２内の充電用のコンデンサの充電が完了したかを判定する（ステップＳ１０７）。ステップＳ１０７の判定において、充電が完了していない場合に、Ｓ２μｃｏｍ１０２は、充電回路１１２内のコンデンサの充電を実行させる（ステップＳ１０８）。一方、ステップＳ１０７の判定において、充電が完了した場合に、Ｓ２μｃｏｍ１０２は、ステップＳ１０８の処理をスキップする。
【００６４】
その後、Ｓ２μｃｏｍ１０２は、測距回路１１６の出力に基づいて、外付けストロボ装置１００から被写体までの距離を演算する（ステップＳ１０９）。被写体距離の演算後、Ｓ２μｃｏｍ１０２は、カメラ２００からの無線通信が開始されたかを判定する（ステップＳ１１０）。ステップＳ１１０の判定において、カメラ２００からの無線通信が開始されていない場合には、処理がステップＳ１０２に戻る。一方、ステップＳ１１０の判定において、カメラ２００からの無線通信が開始された場合に、Ｓ２μｃｏｍ１０２は、無線信号受信部１０４を介してカメラ２００から送信されてきたデータを受信する（ステップＳ１１１）。
【００６５】
カメラ２００からのデータの受信後、Ｓ２μｃｏｍ１０２は、カメラ２００から受信したデータによって示されるコマンドに従って発光量（発光ガイドナンバーＧｎｏ）を演算する（ステップＳ１１２）。その後、Ｓ２μｃｏｍ１０２は、カメラ２００から通信終了信号を受信したかを判定する（ステップＳ１１３）。その後、ステップＳ１１３の判定において、カメラ２００から通信終了信号を受信するまで待機する。ステップＳ１１３の判定において、カメラ２００から通信終了信号を受信した場合に、Ｓ２μｃｏｍ１０２は、カメラ２００の本発光を待ち、カメラ２００の本発光がなされた時点で、発光回路１１３に対して発光指示を行う（ステップＳ１１４）。これにより、カメラ２００から遠隔配置された外付けストロボ装置１００によるストロボ発光が実行される。
【００６６】
また、ステップＳ１０４の判定において、通信方式が有線通信である場合には、外付けストロボ装置１００がメインモードとして動作する。この場合に、Ｓ２μｃｏｍ１０２は、操作部１０３の操作状態を検出する（ステップＳ１１５）。操作部１０３の操作がなされた場合に、Ｓμｃｏｍ１０２は、操作部１０３の操作状態に従って、各種のモード変更処理を行う（ステップＳ１１６）。モード変更処理がなされると、その結果は表示部１０６に表示される。
【００６７】
次に、Ｓ２μｃｏｍ１０２は、充電電圧検知回路１０５で検知される充電電圧から、充電回路１１２内の充電用のコンデンサの充電が完了したかを判定する（ステップＳ１１７）。ステップＳ１１７の判定において、充電が完了していない場合に、Ｓ２μｃｏｍ１０２は、充電回路１１２内のコンデンサの充電を実行させる（ステップＳ１１８）。一方、ステップＳ１１７の判定において、充電が完了した場合に、Ｓ２μｃｏｍ１０２は、ステップＳ１１８の処理をスキップする。
【００６８】
その後、Ｓ２μｃｏｍ１０２は、通信コネクタ１０７を介してカメラ本体２１０から発光量としての発光ガイドナンバーＧｎｏを受信する（ステップＳ１１９）。カメラ２００からの発光ガイドナンバーＧｎｏの受信後、Ｓ２μｃｏｍ１０２は、カメラ２００から発光開始指示を受けたかを判定する（ステップＳ１２０）。その後、ステップＳ１２０の判定において、カメラ２００から発光開始指示を受けるまで待機する。ステップＳ１２０の判定において、カメラ２００から発光開始指示を受けた場合に、Ｓ２μｃｏｍ１０２は、発光回路１１３に対して発光指示を行う（ステップＳ１２１）。これにより、カメラ本体２１０に装着された外付けストロボ装置１００によるストロボ発光が実行される。
【００６９】
次に、外付けストロボ装置１００とカメラ２００との無線通信についてさらに説明する。本実施形態では、例として、外付けストロボ装置１００とカメラ２００との無線通信をカメラ２００におけるストロボ発光を利用して行う。図５は、カメラ２００の発光とそれによって送信されるデータとの関係を示す図である。
【００７０】
図５に示すように、カメラ２００は、９回の少光量の発光を行って各種のデータを送信し、１０回目で本発光を行う。ワイヤレスストロボ装置としての外付けストロボ装置１００はカメラ２００からの１回〜９回目の発光に従って発光に必要な各種の設定を行い、カメラ２００の本発光に同期して本発光する。
【００７１】
まず、１回目の発光は通信開始を示すための発光である。この１回目の発光を受光した場合に、外付けストロボ装置１００のＳμｃｏｍ１０２は、無線通信が開始されたと判定する。続く、２回目の発光は、１回目の発光から所定時間（図の例では１００ｍｓ）だけ待ってから行われる。
【００７２】
２回目〜３回目の発光はチャンネルを示すデータの送信期間であり、２回目の発光と３回目の発光との発光間隔によってチャンネルのデータが指定される。図６は、発光間隔とそれによって示されるデータの値との関係の一例を示した図である。図６に示す例では、チャンネルのデータを示す２回目〜３回目の発光は１０ｍｓ〜２５ｍｓの間で行われ、５ｍｓ毎に異なる値をとる。この場合、チャンネルは、発光間隔１０ｍｓ〜２５ｍｓで４種類の値を取りえる。Ｓμｃｏｍ１０２は、２回目〜３回目の発光間隔を計時して、チャンネルのデータの値を識別する。以後の発光についても同様に発光間隔を計時してデータの値を識別する。
【００７３】
なお、受信したデータによって示されるチャンネルがステップＳ１０６のモード変更処理において設定されたチャンネルと異なる場合には、それ以後に送信されるデータは無視される。
【００７４】
３回目〜４回目の発光はグループを示すデータの送信期間であり、３回目の発光と４回目との発光間隔によってグループのデータが指定される。図６に示す例では、グループのデータを示す３回目〜４回目の発光は１０ｍｓ〜２５ｍｓの間で行われ、５ｍｓ毎に異なる値となる。この場合、グループは、発光間隔１０ｍｓ〜２５ｍｓで４種類の値を取りえる。なお、受信したデータによって示されるグループがステップＳ１０６のモード変更処理において設定されたグループと異なる場合には、それ以後に送信されるデータは無視される。
【００７５】
４回目〜５回目の発光はワイヤレスストロボ装置の本発光時の発光量を決定するためのコマンドを示すデータの送信期間であり、４回目の発光と５回目との発光間隔によってコマンドのデータが指定される。図６に示す例では、コマンドのデータを示す４回目〜５回目の発光は１０ｍｓ〜２０ｍｓの間で行われ、５ｍｓ毎に異なる値となる。この場合、コマンドは、発光間隔１０ｍｓ〜２０ｍｓで３種類の値を取りえる。
【００７６】
図７は、コマンドの値とその内容との関係の一例を示す図である。  
図７に示す例において、コマンドの値が０の場合には、カメラ２００で得られた絞り値と測距回路１１６の出力に基づいて検出された被写体距離とから求めた発光量（発光ガイドナンバー）に、外光と、外付けストロボ装置１００と、カメラ２００の光量比率を示す補正係数を乗じた値と、撮像素子２２１の感度とで発光量を求める。ここで、撮像素子２２１の感度が高い場合には外付けストロボ装置１００の発光量を低下させる。一方、撮像素子２２１の感度が低い場合には外付けストロボ装置１００の発光量を増加させる。このようなコマンド値が０の場合には、５回目〜６回目の発光で絞り値が、６回目〜７回目の発光で補正係数が、７回目〜８回目の発光で撮像素子２２１の感度がパラメータとして送信される。
【００７７】
図８は、コマンドの値が０の場合における５回目〜６回目の発光の発光間隔とそれによって示される絞り値との関係の一例を示した図である。図８に示す例では、絞り値を示す５回目〜６回目の発光は１０ｍｓ〜５５ｍｓの間で行われ、５ｍｓ毎に異なる値となる。この場合、絞り値は、発光間隔１０ｍｓ〜５５ｍｓで１０種類の値を取りえる。
【００７８】
図９は、コマンドの値が０の場合における６回目〜７回目の発光の発光間隔とそれによって示される補正係数との関係の一例を示した図である。図９に示す例では、補正係数を示す６回目〜７回目の発光は１０ｍｓ〜３０ｍｓの間で行われ、５ｍｓ毎に異なる値となる。この場合、補正係数は、発光間隔１０ｍｓ〜３０ｍｓで５種類の値を取りえる。
【００７９】
ここで、補正係数は、カメラ２００におけるモード変更処理においてユーザが設定することが可能な値であるが、ユーザが設定しなくとも良い。この場合には、所定値（例えば１/４）を送信するようにする。
【００８０】
図１０は、コマンドの値が０の場合における７回目〜８回目の発光の発光間隔とそれによって示される撮像素子２２１の感度との関係の一例を示した図である。図１０に示す例では、感度を示す７回目〜８回目の発光は１０ｍｓ〜４０ｍｓの間で行われ、５ｍｓ毎に異なる値となる。この場合、感度は、発光間隔１０ｍｓ〜４０ｍｓで７種類の値を取りえる。
【００８１】
また、図７に示す例において、コマンドの値が１の場合には、カメラ２００で指示された発光量（発光ガイドナンバー）を本発光時の発光量とする。この場合には、５回目〜６回目の発光で発光ガイドナンバーＧｎｏが送信される。７回目、８回目については発光を行わなくとも良いが、その後の９回目以後の発光を識別できるように、６回目の発光の後、所定時間をもって７回目、８回目の発光を行うようにしても良い。
【００８２】
図１１は、コマンドの値が１の場合における５回目〜６回目の発光の発光間隔とそれによって示される発光ガイドナンバーとの関係の一例を示した図である。図１１に示す例では、発光ガイドナンバーを示す５回目〜６回目の発光は１０ｍｓ〜３５ｍｓの間で行われ、５ｍｓ毎に異なる値となる。この場合、発光ガイドナンバーは、発光間隔１０ｍｓ〜３５ｍｓで６種類の値を取りえる。
【００８３】
また、図７に示す例において、コマンドの値が２の場合には、前回決定した発光量をもとに今回の発光量（発光ガイドナンバー）を決定する。この場合には、５回目〜６回目の発光で前回の発光量との発光量差の符号が、６回目〜７回目の発光で発光量差の絶対値が送信される。８回目については発光を行わなくとも良いが、その後の９回目以後の発光を識別できるように、７回目の発光の後、所定時間をもって８回目の発光を行うようにしても良い。
【００８４】
図１２は、コマンドの値が２の場合における５回目〜６回目の発光の発光間隔とそれによって示される発光量差の符号との関係の一例を示した図である。図１２に示す例では、発光量差の符号を示す５回目〜６回目の発光は１０ｍｓ〜１５ｍｓの間で行われる。図１２の例では、発光間隔が１０ｍｓの場合には差の符号が正、発光間隔が１５ｍｓの場合には差の符号が負となる。
【００８５】
図１３は、コマンドの値が２の場合における６回目〜７回目の発光の発光間隔とそれによって示される発光量差の絶対値との関係の一例を示した図である。図１３に示す例では、発光量差の絶対値を示すΔＧｖを示す６回目〜７回目の発光は１０ｍｓ〜２５ｍｓの間で行われ、５ｍｓ毎に異なる値となる。この場合、ΔＧｖは、発光間隔１０ｍｓ〜２５ｍｓで４種類の値を取りえる。なお、図１３の例は、発光量差をアペックス値で表している。
【００８６】
以上の４回目〜８回目の発光によって、外付けストロボ装置１００に、発光量の演算に必要なパラメータが全て送信される。これを受けて外付けストロボ装置１００のＳ２μｃｏｍ１０２は本発光時の発光量を演算する。演算終了後はカメラ２００からの９回目以後の発光を待つ。カメラ２００からの９回目の発光は通信終了を示すための発光である。この９回目の発光を受光した場合に、外付けストロボ装置１００のＳ２μｃｏｍ１０２は、無線通信が終了されたと判定する。そして、その後の１０回目の発光であるカメラ２００の本発光に同期して発光回路１１３に対して発光指示を行う。
【００８７】
以上説明したように、本実施形態によれば、ワイヤレスストロボ装置として用いる外付けストロボ装置１００に測距回路１１６を設けることにより、外付けストロボ装置１００から被写体までの距離を測定することが可能である。これにより、より適正な発光量で外付けストロボ装置１００を発光させることが可能である。
【００８８】
また、測距回路１１６を回動可能な発光部１１１側に設けることにより、実際に発光部１１１の向いている方向の被写体距離を測定することができ、より正確な発光量を算出することが可能である。
【００８９】
また、カメラ２００からの通信によって発光量を補正する補正係数を送信することにより、外光の影響と、カメラ２００による発光による影響と、外付けストロボ装置１００の発光による影響とを考慮して適正な露出が得られるようにストロボ発光を行うことが可能である。
【００９０】
以上実施形態に基づいて本発明を説明したが、本発明は上述した実施形態に限定されるものではなく、本発明の要旨の範囲内で種々の変形や応用が可能なことは勿論である。
【００９１】
例えば、図５に示したデータの送信手法は一例であって適宜変更可能である。また、無線通信にストロボ光を用いずに、赤外線通信等を用いることも可能である。
【００９２】
また、無線通信によって送信されるデータも一例であって、カメラ２００及び外付けストロボ装置１００の仕様等によって適宜変更することが可能である。
【００９３】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００９４】
【図１】本発明の一実施形態に係るストロボ装置の一例としての外付けストロボ装置の構成を示す図である。
【図２】本発明の一実施形態に係るカメラの構成を示すブロック図である。
【図３】カメラのメイン処理について示したフローチャートである。
【図４】外付けストロボ装置のメイン処理について示したフローチャートである。
【図５】カメラの発光とそれによって送信されるデータとの関係を示す図である。
【図６】発光間隔とそれによって示されるデータの値との関係の一例を示した図である。
【図７】コマンドの値とその内容との関係の一例を示す図である。
【図８】コマンドの値が０の場合における５回目〜６回目の発光の発光間隔とそれによって示される絞り値との関係の一例を示した図である。
【図９】コマンドの値が０の場合における６回目〜７回目の発光の発光間隔とそれによって示される補正係数との関係の一例を示した図である。
【図１０】コマンドの値が０の場合における７回目〜８回目の発光の発光間隔とそれによって示される撮像素子の感度との関係の一例を示した図である。
【図１１】コマンドの値が１の場合における５回目〜６回目の発光の発光間隔とそれによって示される発光ガイドナンバーとの関係の一例を示した図である。
【図１２】コマンドの値が２の場合における５回目〜６回目の発光の発光間隔とそれによって示される発光量差の符号との関係の一例を示した図である。
【図１３】コマンドの値が２の場合における６回目〜７回目の発光の発光間隔とそれによって示される発光量差の絶対値との関係の一例を示した図である。
【符号の説明】
【００９５】
１００…外付けストロボ装置、１０１…ストロボ本体、１０２…ストロボ制御マイクロコンピュータ（Ｓ２μｃｏｍ）、１０３…操作部、１０４…無線信号受信部、１０５…充電電圧検知回路、１０６…表示部、１０７…通信コネクタ、１０８…三脚、１１１…発光部、１１２…充電回路、１１３…発光回路、１１４…発光管、１１５…反射傘、１１６…測距回路、２００…カメラ、２０１…レンズ鏡筒、２０２…撮影レンズ、２０３…絞り、２０４…レンズ駆動機構、２０５…絞り駆動機構、２０６…レンズ制御用マイクロコンピュータ（Ｌμｃｏｍ）、２０７…通信コネクタ、２１０…カメラ本体、２１１…反射ミラー、２１２…ミラー駆動機構、２１３…ポロプリズム、２１４…接眼レンズ、２１５…ＡＦ用可動ミラー、２１６…ＡＦセンサユニット、２１７…ＡＦセンサ駆動回路、２１８…シャッタ部、２１９…シャッタチャージ機構、２２０…シャッタ制御回路、２２１…撮像素子、２２２…防塵フィルタ、２２３…圧電素子、２２４…防塵フィルタ駆動回路、２２５…温度測定回路、２２６…撮像インターフェース回路、２２７…画像処理コントローラ、２２８…液晶モニタ、２２９…バッファメモリ（ＳＤＲＡＭ）、２３０…記録メディア、２３１…ボディ制御用マイクロコンピュータ（Ｂμｃｏｍ）、２３２…駆動回路、２３３…補助光用ＬＥＤ、２３４…動作表示用ＬＣＤ、２３５…カメラ操作スイッチ（ＳＷ）、２３６…電源回路、２３７…電池、２３８…測光回路、２３９…不揮発性メモリ（ＥＥＰＲＯＭ）、２４０…通信コネクタ、２４１…充電回路、２４２…発光回路、２４３…発光管、２４４…反射傘、２４５…充電電圧検知回路
【図１】
2009122523.tif 000003
【図２】
2009122523.tif 000004
【図３】
2009122523.tif 000005
【図４】
2009122523.tif 000006
【図５】
2009122523.tif 000007
【図６】
2009122523.tif 000008
【図７】
2009122523.tif 000009
【図８】
2009122523.tif 000010
【図９】
2009122523.tif 000011
【図１０】
2009122523.tif 000012
【図１１】
2009122523.tif 000013
【図１２】
2009122523.tif 000014
【図１３】
2009122523.tif 000015